(57)【要約】【課題】  スプライス部を有する連続シートへのプリントにおいて、スプライス部の前後でのプリント画質の変化を小さくする。【解決手段】  スプライス部が検知されたら、スプライス部に続く後続シートの領域を用いて、カラーシェーディング調整、プリントヘッドとシートの間のギャップ調整、プリントヘッドの色間レジストレーション調整等の画質調整処理を行なう。【選択図】  図４
2011240490.tif 000002
【特許請求の範囲】
【請求項１】
スプライス部を含む連続シートを供給するシート供給部と、
前記シート供給部から供給される連続シートに単位画像を順次プリントするプリント部と、
前記プリント部よりも前記供給部の側にて連続シートのスプライス部を検知する検知部と、
を有し、前記検知部で前記スプライス部が検知されたら、前記スプライス部に続く後続シートの領域を用いて画質調整処理が行なわれることを特徴とするプリント装置。
【請求項２】
前記画質調整処理は、カラーシェーディング調整、プリントヘッドとシートの間のギャップ調整、プリントヘッドの色間レジストレーション調整の少なくとも１つであることを特徴とする、請求項１記載のプリント装置。
【請求項３】
前記プリント部でプリントした画像を読み取る読取部を有し、読み取った画像に基づいて前記画質調整処理が行なわれることを特徴とする、請求項１または２記載のプリント装置。
【請求項４】
前記検知部を用いて前記後続シートに関する情報を取得し、取得した情報に基づいて前記画質調整処理が行なわれることを特徴とする、請求項１または２記載のプリント装置。
【請求項５】
前記連続シートに前記後続シートに関する情報が保持されており、前記情報の読取に基づいて前記画質調整処理が行なわれることを特徴とする、請求項１または２記載のプリント装置。
【請求項６】
スプライス部を含む連続シートを供給するシート供給部と、前記シート供給部から供給される連続シートに単位画像を順次プリントするプリント部と、前記プリント部よりも前記供給部の側にて連続シートのスプライス部を検知する検知部とを有するプリント装置の制御方法であって、
前記検知部で前記スプライス部が検知されたら、前記スプライス部に続く後続シートの領域を用いて画質調整処理を行なうように制御することを特徴とするプリント装置の制御方法。
【発明の詳細な説明】
【技術分野】
【０００１】
本発明はロール状の連続シートを用いてプリントを行うプリント装置に関する。
【背景技術】
【０００２】
ラボプリント等の大量のプリントにはロール状の連続シートが用いられる。ロール状の連続シートを製造する際には、製造上の歩留まり改善の観点から、必要長さに満たない複数の連続シートの端部同士をスプライシングテープ等の固定材（以下テープという）で結合し、必要長さを有するロールとすることがある。このロール状の連続シートは、テープで結合されたスプライス部（繋ぎ部）を１箇所以上且つランダムな位置に有する。
【０００３】
特許文献１に開示される装置では、光学センサを用いてテープを検出することでスプライス部の位置を検知し、スプライス部を含む領域を記録不可領域としてプリントを行わないよう制御する。
【先行技術文献】
【特許文献】
【０００４】
【特許文献１】特開２００１−２３９７１５号公報
【発明の概要】
【発明が解決しようとする課題】
【０００５】
高品位の写真画像などをプリントする際には、使用するシートの特性（紙種、紙質、紙厚など）の僅かな違いがプリント画質の違いとなって現われる。そのため、連続シートのスプライス部で結合された前後のシートの特性が違っていると、スプライス部の前後で色み、階調、コントラストなどの画質の違う画像が得られる。写真アルバムなど一冊のプリント物の複数のページの途中でプリント画質が変わると鑑賞者に大きな違和感を与えるので、連続シートに順次プリントする一連の画像は同じプリント画質を維持することが望まれる。特許文献１には、このような課題認識や解決の手法については何ら開示がない。
【０００６】
本発明は上述の課題の認識に基づいてなされたものである。本発明の目的は、スプライス部を有する連続シートへのプリントにおいて、スプライス部の前後でのプリント画質の変化を小さくする手法の提供である。
【課題を解決するための手段】
【０００７】
本発明のプリント装置は、スプライス部を含む連続シートを供給するシート供給部と、前記シート供給部から供給される連続シートに単位画像を順次プリントするプリント部と、前記プリント部よりも前記供給部の側にて連続シートのスプライス部を検知する検知部とを有し、前記検知部で前記スプライス部が検知されたら、前記スプライス部に続く後続シートの領域を用いて画質調整処理が行なわれることを特徴とする。
【発明の効果】
【０００８】
本発明によれば、連続シートのスプライス部に続く後続シートの領域を用いて画質調整処理を行なうので、スプライス部の前後でシートの特性が変化したとしても、違和感のない同等のプリント画質でプリントを継続することができる。
【図面の簡単な説明】
【０００９】
【図１】実施形態のプリント装置の全体外観図
【図２】プリント部の内部の構成を示す構成図
【図３】連続シートのスプライス部の断面図
【図４】プリント動作の全体シーケンスを示すフローチャート
【図５】カラーシェーディング調整のための調整パターンの例
【発明を実施するための形態】
【００１０】
以下、インクジェット方式を用いたプリント装置の実施形態を説明する。本例のプリント装置は、長尺で連続したシート（搬送方向において繰り返しのプリント単位（１ページあるいは単位画像という）の長さよりも長い連続シート）を使用し、片面プリントおよび両面プリントの両方に対応した高速ラインプリンタである。例えば、プリントラボ等における大量の枚数のプリントの分野に適している。
【００１１】
図１は実施形態のプリント装置の全体外観図である。プリント装置は概略、プリント部１、シート供給部２、シート巻取部３、制御部６を有する。シート供給部２はロール状に巻かれたロールシート４を保持して、連続シートをロールから引き出しながらプリント部１に供給する。プリント部１では連続シートに複数の画像を順次プリントしていく。プリントされた連続シートは、シート巻取部３にてロールシート５として巻き取られてゆく。制御部６は、コントローラ、メモリ、各種Ｉ／Ｏインターフェースを有し、プリント装置全体の制御を司る。制御部６はプリント装置自体に内蔵されていてもよいし、プリント装置に接続される外部のホストコンピュータであってもよい。なお、シート搬送経路の任意の位置において、シート供給部２に近い側を「上流」、その逆側を「下流」という。
【００１２】
シート供給部２で保持するシートは、連続したシートであればロール状に巻かれたものに限らない。例えば、単位長さごとのミシン目が付与された連続したシートがミシン目ごとに折り返されて積層され、シート供給部２に収納されるものでもよい。
【００１３】
ここで使用する連続シートは、図３に示すように、テープや糊で結合されたスプライス部（繋ぎ部）を１箇所以上且つランダムな位置に有するものとする。連続シートは、ロールを製造した段階で予めスプライス部を持っている。それ以外にも、１つのロールの連続シートを使い切ったらユーザ自身がシートを繋いで新たな連続シートとしてプリントを継続する場合もあり、その場合も連続シートの途中にスプライス部が形成される。
【００１４】
図３において、先行する連続シート（先行シート２６）と後続の連続シート（後続シート２７）とは、スプライス部で結合されて、ひと繋ぎの連続シートＳとなっている。この例では、先行シート２６と後続シート２７との一部を重ねて両者が糊付けされ、さらにその上からテープ２５が貼られている。テープ２５が貼られた部分がスプライス部である。シート同士の重なりおよびテープ２５の厚みによって、その部分だけ本来のシート厚よりも大きい段差が形成されている。
【００１５】
図２はプリント部１の内部の構成を示す構成図であり、図２（ａ）は上面図、図２（ｂ）は正面図、図２（ｃ）はシートよりも上方にある主要部材を下方から見た下面図である。シート供給部２からプリント部１に供給された連続シートＳはプリント部において矢印Ａ方向に搬送される。プリント部におけるシート搬送機構として、搬送ローラ１１と従動回転するピンチローラ１２からなる上流側の搬送ローラ対、および搬送ローラ１３と従動回転するピンチローラ１４からなる下流側の搬送ローラ対が設けられている。プラテン１５は記録位置において連続シートの下面を案内保持する。プリントヘッド部３０はインクジェット方式の複数のプリントヘッドを含む。各プリントプリントヘッドは、使用が想定される最大プリント幅をカバーする範囲でインクジェット方式のノズル列が形成されたライン型プリントヘッドを有する。インクノズル列は単位ノズルチップが千鳥配列等の規則的な配列によって幅方向全域に渡って形成されたもの、一列が幅方向全域に渡って形成されたもの、いずれであってもよい。インクジェット方式は、発熱素子を用いた方式、ピエゾ素子を用いた方式、静電素子を用いた方式、ＭＥＭＳ素子を用いた方式等を採用することができる。各色のインクは、インクタンクからそれぞれインクチューブを介して各プリントヘッドに供給される。プリントヘッド部３０は、本例では、シアン色インク用のシアンヘッド７、マゼンタ色インク用のマゼンタヘッド８、およびイエロー色用のイエローヘッド９の３つを有する。図２（ｃ）に示すように、シアンヘッド７の吐出面にはノズル列１６が、マゼンタヘッド８の吐出面にはノズル列１７が、イエローヘッド９の吐出面にはノズル列１８がそれぞれ形成されている。なお、色数およびプリントヘッドの数は３つには限定はされず、さらに多い数あるいは少ない数であってもよい。各プリントヘッドにはインクチューブが接続され、図示しないインクタンクからインクが供給される。なお、各プリントヘッドは対応する色のインクを貯蔵するインクタンクと一体のユニットとしてもよい。各プリントヘッドは、ヘッドホルダ１０に一体に保持されている。ヘッドホルダ１０は駆動機構により矢印Ｂ方向に昇降可能である。
【００１６】
スキャナ装置１９（読取部）は下流側の搬送ローラ対（ピンチローラ１４）のさらに下流に位置する。プリントヘッド部３０を用いて連続シートにプリントされた画質調整用画像や検査画像を読み取るためのものである。図２（ｃ）に示すように、スキャナ装置１９はＲＧＢ３色の発光素子２０を含む発光部と、イメージセンサ２１（ＣＣＤイメージセンサまたはＣＭＯＳイメージセンサ）を含む受光部からなる。白色基準プレート２４は、イメージセンサ２１の読取位置にシートを挟んで対向して配置される。白色基準プレート２４は白色板からなり、イメージセンサ２１のカラーキャリブレーションに用いられる。スキャナ装置１９および白色基準プレート２４の下流には、連続シートを排出するための排出ローラ対２３が設けられている。
【００１７】
上流側の搬送ローラ対（ピンチローラ１２）の上流には、シート面の上方から連続シートのスプライス部（テープ２５）を光学的に非接触で検知するための検知部３１が設けられている。検知部３１はシート面に斜めから光を照射する発光部と反射光を検出するアレイセンサを含む。先行シート２６および後続シート２７はともに光沢性を有する白色であり反射率が高い。これに対して、テープ２５の表面は黒色で且つマット処理を施してあり光反射率が低い。この反射率の違いを利用して、検知部３１によってセンサの検知位置をスプライス部のテープ２５が通過したことを検知する。また、検知部３１は、２つ以上の受光素子を持つアレイセンサのどの素子が中心的に反射光を受光したかでシート面の高さを検知することもできるようになっている。検知部３１を上下流に挟んで２つのガイドローラ対２９が設けられており、検知部３１の検知位置におけけるシートの高さ方向の位置を安定させて、検知精度を安定化させている。
【００１８】
図４は制御部６で制御するプリント動作の全体シーケンスを示すフローチャートである。ステップＳ１０１では、連続シートに対して複数の単位画像の順次プリントを開始する。ステップ１０２では、プリント中に検知部３１によって連続シートのスプライス部の検知する。スプライス部が検知された（Ｙｅｓ）らステップＳ１０３に移行し、検知されない（Ｎｏ）場合はステップＳ１０７に移行する。
【００１９】
ステップ１０３では、検知されたスプライス部がプリントヘッド部３０の最上流のプリントヘッド９のプリント位置に来るまで、単位画像のプリントを継続して、可能な限り多くの単位画像をプリントする。検知部３１の検知位置と最上流のプリントヘッド９のプリント位置までの搬送経路の長さは設計上決まっている。したがって、その長さの領域にいくつの単位画像をプリントすることができるかは、単位画像の搬送方向の長さから計算で求めることができる。
【００２０】
ステップＳ１０４では、スプライス部を含む領域にプリント禁止領域として設定して、この間がプリント位置を通過する際にはプリントを行なわずにスキップする。したがって、プリント禁止領域はインクが付与されずに空白となる。
【００２１】
ステップＳ１０５では、スプライス部がプリント位置を通過した後に、スプライス部に続く後続シートの領域を用いてプリントヘッド部３０の画質調整処理を行なう。画質調整処理の一つの例として、カラーシェーディング調整処理がある。カラーシェーディングとは、インクが付与されるシート特性に応じて色調等の色目が変わってしまう現象をいい、先行シート２６と後続シート２７のシート特性が同じでないと、ユーザには異なる色目として認識されてしまう。カラーシェーディング調整処理とは、このカラーシェーディングをシート特性に応じて適切に補正して本来の色目でプリントするためのデータ処理である。スプライス部に続く後続シートの先頭領域に、各色のプリントヘッドを用いてカラーシェーディング調整のための調整パターンをプリントする。プリントした調整パターンはスキャナ装置１９で読み取って、制御部は読み取られた結果に基づいて、各色のプリントヘッドの駆動を補正する。
【００２２】
図５はカラーシェーディング調整のための調整パターン２２の例を示す。プリントヘッド部３０の３色のプリントヘッドを用いて、後続シート２７の先頭領域にシアンパターン２２ｃ、マゼンタパターン２２ｍ、イエローパターン２２ｙをそれぞれ、所定の一定デューティでプリントして形成する。調整パターン２２はスキャナ装置１９で読み取って画像データを取得する。制御部では読み取った画像データから各色の濃度を判定して、それぞれのプリントヘッドでのインク吐出量を調整する。各色のパターンは、搬送方向においてインクジェットの吐出エネルギを設計値に対して上下に僅かに変化させながら形成したものである。プリントヘッドに与えた吐出エネルギとパターン内の記録位置とは対応付けて制御部のメモリにデータテーブルとして格納されている。プリントした調整パターンは、スキャナ装置１９においてＲＧＢ３色それぞれ多値化データとして読み取る。制御部は読み取った画像の中から、メモリ内の理想の色バランスデータに最も近い記録位置を判別する。そして、データテーブルを参照してプリントヘッドを駆動する吐出エネルギを設定して、後続シート２７にプリントを継続する。なお、先行シート２６についても、同様に先行シート２６のシート特性に合わせたカラーシェーディング処理が最初に行われる。これにより、もし、先行シート２６と後続シート２７とでシート特性が変わっても、両者とも同じ色目で画像をプリントすることができユーザに違和感を与えることがない。
【００２３】
図４に戻って、ステップＳ１０６では、画像調整処理の後に、単位画像のプリントを再開する。ステップＳ１０７では、予定枚数の単位画像のプリントが完了した（Ｙｅｓ）か否か（Ｎｏ）を判断する。判断がＮｏの場合はステップＳ１０１に戻って処理を繰り返し、判断がＹｅｓの場合はシーケンスを終了する。
【００２４】
なお、ステップＳ１０５で行なう画質調整処理は、カラーシェーディング調整処理とは別の処理であってもよい。例えば、プリントヘッドのノズル列とシート間の距離調整（ギャップ調整）がある。先行シート２６と後続シート２７とでシート厚が変化すると、ヘッド位置が一定であればヘッドとシートとの間のギャップが変化する。ギャップが変化すると、ノズルから吐出されたインクがシート面に着弾するまでの距離（時間）が変わって、着弾位置精度も変化するので、先行シート２６と後続シート２７とで画質が変化する場合がある。上述したように、検知部３１はスプライス部の検知だけでなく、シート厚を検知することができる。検知したシート厚に応じて、プリントヘッド部３０を保持するヘッドホルダ１０をＢ方向に変化させて、先行シート２６と後続シート２７とでシート厚が変化したとしても一定のギャップが維持されるように制御する。つまり、この例の画質調整処理は、でシート厚の変化に関わらずギャップが一定となるようにして画質を維持する処理である。
【００２５】
ステップＳ１０５で行なう画質調整処理のさらに別の例として、複数のプリントヘッドの色間レジストレーション調整がある。シートの厚みやシート表面の摩擦係数が変化すると搬送ローラによるシートの送り量が微妙に変化する。そのため、複数のプリントヘッドでの各色のプリント位置もシート搬送方向において相対的にずれを生じ、異なる色同士のインク重ね精度が劣化してプリント画質に影響を及ぼす。これを補正するのが色間レジストレーション調整である。具体的には、スプライス部に続く後続シートの先頭領域に、各色のプリントヘッドを用いて色間レジストレーション調整のための調整パターンを個別にプリントする。プリントした各色の調整パターンの間のシート搬送方向の相対的な位置関係をスキャナ装置１９で読み取る。制御部６は読み取られた結果に基づいて各色のインクの吐出タイミングを補正して、各色のインクが正確な位置に着弾するようにする。もし、先行シート２６と後続シート２７とでシート特性が変わっても、後続シート２７に対して各色間の色ずれを自動的に補正して先行シート２６と同じ高画質を維持するものである。
【００２６】
以上、画質調整処理として３つの形態を例示したが、これらを任意に組み合わせて複数の調整処理を行なうようにしてもよい。なお、画質調整処理を行う後続シートの領域はスプライス部に近いほうがシートの消費が抑えられて好ましいが、必ずしも直後の先頭領域でなくてもよい。
【００２７】
ところで上述の例では、後続シート２７のシート情報を検知部３１を用いて取得するものであるがこれ以外の手法でシート情報を取得するようにしてもよい。例えば、シート自体に後続シート２７に関するシート情報を保持しておいて、このシート情報を読み取って画質調整処理を行なうようにしてもよい。
【００２８】
図２（ａ）は、シートＳのスプライス部の直後（後続シート２７の先頭部）に、コードパターン２８を予め記録した例である。これを検知部３１を用いて読み取ることで、後続シート２７に関するシート情報を取得することができる。コードパターン２８は、後続シート２７に関する情報（シート種類、シート特性、シート厚など）をバーコードのような形態で記録する。なお、コードパターン２８は後続シート２７に限らず、テープ２５の上あるいは先行シート２６の後端に予め読取可能な形態で記録するようにしてもよい。光学パターンに替えて磁気パターンとしてシート情報を保持して磁気センサでコードを読み取るようにしてもよい。また、シートにＩＣタグを埋め込んで電子的にシート情報を保持しておき、非接触で情報を読み取るようにしてもよい。
【００２９】
以上の実施形態によれば、連続シートのスプライス部に続く後続シートの先頭領域で画質調整処理を行なうので、スプライス部の前後でシートの特性が変化したとしても、違和感のない同等のプリント画質でプリントを継続することができる。
【符号の説明】
【００３０】
７  シアンヘッド
８  マゼンタヘッド
９  イエローヘッド
１０  ヘッドホルダ
１９  スキャナ装置
２５  テープ
２６  先行シート
２７  後続シート
２８  コードパターン
２０８  スプライスセンサ
２１９  プリントヘッド部
【図１】
2011240490.tif 000003
【図２】
2011240490.tif 000004
【図３】
2011240490.tif 000005
【図４】
2011240490.tif 000006
【図５】
2011240490.tif 000007